(57)【要約】【課題】ＬＮＧを気化するときに回収した低温熱を有効利用できるようにする。【解決手段】低温タンク１からＬＮＧ２を取り出した後に気化させて火力発電所等の需要先へ供給するようにするＬＮＧ取出ライン３を、段階的にＬＮＧを昇温させるようにする第１〜第３の各ＬＮＧヒータ４，５，６の順に接続させる。第１、第２ＬＮＧヒータ４，５は、各々中間媒体７と９を導入してＬＮＧ２と熱交換させることでＬＮＧ２を昇温させる。ＬＮＧ２から冷熱を奪った中間媒体７，９を冷媒ポンプ１６，２１で昇圧させてから蒸発器１７，２２で熱媒体１１と熱交換させて気化させるヒートポンプを用いて発電するため、発電機１２を同軸に備えた膨張タービン１３，１８を閉ループ８，１０で接続する。上記蒸発器１７，２２と第３ＬＮＧヒータ６には、熱媒体１１を導き、冷却された熱媒体１１は捨てることなく、発電所のコンデンサに導いて、低温熱の有効利用を図るようにする。【選択図】図１
2006022872.tif 000002
【特許請求の範囲】
【請求項１】
低温液体を需要先へ導くラインの途中に、該低温液体を昇温気化させる低温液体ヒータを設け、該低温液体ヒータの熱源として用いる中間媒体を、該低温液体ヒータで低温液体との熱交換で冷却すると蒸発部で蒸発させて循環させるようにし、且つ上記蒸発部で中間媒体との熱交換に用いた熱媒体を他の機器の冷却用とするようにした構成を有することを特徴とする低温液体のガス化設備。
【請求項２】
低温液体を需要先へ導くラインの途中に、該低温液体を昇温気化させる１つ又は複数の低温液体ヒータと、低温液体の気化ガスを使用温度に昇温させる気化ガスヒータとを上流側より順に設け、上記上流側の低温液体ヒータの熱源として用いる中間媒体を、該低温液体ヒータで低温液体との熱交換で冷却すると蒸発部で蒸発させて循環させるようにし、且つ上記蒸発部で中間媒体との熱交換に用いた熱媒体を他の機器の冷却用とするようにし、更に、上記下流側の気化ガスヒータの熱源として用いる熱媒体を気化ガスとの熱交換後に他の機器の冷却用とするようにした構成を有することを特徴とする低温液体のガス化設備。
【請求項３】
発電機を同軸に備えた膨張タービンのタービン入口とタービン出口とを、低温液体を中間媒体で昇温気化させる低温液体ヒータと、該低温液体ヒータで冷却された中間媒体を昇圧する冷媒ポンプと、昇圧された中間媒体を蒸発させる蒸発部とを備えた閉ループで接続した請求項１又は２記載の低温液体のガス化設備。
【請求項４】
熱交換の熱媒体を発電所のコンデンサの間接冷却に用いるようにした請求項１、２又は３記載の低温液体のガス化設備。
【発明の詳細な説明】
【技術分野】
【０００１】
本発明は、ＬＮＧの気化設備の如き低温液体のガス化設備に関するもので、詳しくは、低温液体を気化して需要先へ供給する際に冷熱を回収して利用できるようにしてある低温液体のガス化設備に関するものである。
【背景技術】
【０００２】
低温液体として、ＬＮＧ（液化天然ガス）について説明すると、ＬＮＧは約−１６０℃という極低温の状態で低温タンクとしてのＬＮＧタンクに貯蔵されていて、燃料として火力発電所等の需要先へ供給するようにする場合に、ＬＮＧを気化器で気化させた後、得られた気化ガス（天然ガス）を昇圧させて需要先へ供給するようにしている。従来のＬＮＧの気化器としては、貯蔵されているＬＮＧを取り出して昇圧した後、海水取水設備から海水ポンプを介して導いた海水と熱交換させることにより、ＬＮＧを昇温、気化させて気化ガスとするようにした形式のものが広く用いられている（たとえば、特許文献１参照）。あるいは、別のＬＮＧ気化装置として、内部をＬＮＧが通る配管に海水を散布して熱交換させることにより、ＬＮＧを気化させるようにしたものも知られている（たとえば、特許文献２参照）。
【０００３】
しかし、上記特許文献１、特許文献２に記載されているいずれのものも、ＬＮＧを海水により気化させるものであり、しかも、ＬＮＧの気化に用いられた海水はそのまま捨てられている。そのため、ＬＮＧを気化することにより得られた低温熱を利用することが行われておらず、又、冷却された海水はそのまま海に捨てられていることから、ロスが多かった。
【０００４】
一方、上記ＬＮＧを気化させることにより得られた低温熱を利用するようにしたものとしては、図２に示す冷熱発電設備がある。図２に示す冷熱発電設備は、ＬＮＧを気化するのに用いた中間媒体を凝縮することによりＬＮＧの低温熱を回収するようにしたもので、発電機ａを同軸に備えたタービンｂのタービン出口ｃとタービン入口ｄとの間を、プロパン等の炭化水素系の単一又は混合した中間媒体ｅを循環させるようにした閉ループｆで接続し、該閉ループｆのタービン出口ｃ側に、ＬＮＧｇにより中間媒体ｅを冷却して液体にする凝縮器ｈを設け、又、上記閉ループｆのタービン入口ｄ側に、海水ｉを導入するようにしてある蒸発器ｊを設けて、上記凝縮器ｈで液化された中間媒体ｅを冷媒ポンプｋで昇圧して上記凝縮器ｈへ再度導いて冷却してから上記蒸発器ｊへ導くようにしてある。そのため、ＬＮＧｇが凝縮器ｈに導かれることによって中間媒体ｅは液化され、ＬＮＧｇは気化される。液体にされた中間媒体ｅは、冷媒ポンプｋから凝縮器ｈを経ることにより冷却されて蒸発器ｊへ導かれ、海水ｉとの熱交換で気化されてタービン入口ｄよりタービンｂへ供給されることになる。これによりタービンｂを介して発電機ａが駆動され、発電が行われるようにしてある。一方、上記凝縮器ｈでＬＮＧｇが気化されて生じた気化ガスｇ´は、海水ｉが供給されている加温器ｌに導いて常温まで昇温させた後、火力発電所等の需要先へ供給させるようにしてある（たとえば、特許文献３、特許文献４参照）。
【０００５】
又、ＬＮＧを気化させるものではないが、熱回収部と熱放出部を備えていて、作動媒体を熱回収部へ導いて熱媒体と熱交換させることにより該熱媒体の熱を回収させた後、その作動媒体を熱放出部へ導いて熱媒体に熱を放出させることにより該熱媒体を加熱又は冷却し、暖房又は冷房に利用するようにしたヒートポンプも提案されている（たとえば、特許文献５参照）。
【０００６】
【特許文献１】特開平１０−２６７１９７号公報
【特許文献２】特開２００１−２６３５９２号公報
【特許文献３】特開平９−２０９７１７号公報
【特許文献４】特開平９−１７７５０９号公報
【特許文献５】特開平８−２９００７号公報
【発明の開示】
【発明が解決しようとする課題】
【０００７】
ところが、図２に示すものでは、ＬＮＧｇの気化に、閉ループｆを循環する中間媒体ｅを用いるようにしているので、ＬＮＧを気化することで得られた低温熱は利用されているが、中間媒体ｅを加熱するための蒸発器ｊでは、熱源として海水ｉを用いていて、この海水ｉは熱交換後に捨てている。又、気化ガスｇ´の加温器ｌでも熱交換用に海水ｉを用い、海水ｉはそのまま捨てている。そのため、蒸発器ｊや加温器ｌでは、低温熱の利用は図られていないばかりでなく、低温の海水を捨てることから海水に与える環境負荷が大きいという問題がある。
【０００８】
又、特許文献５に記載されたものは、ヒートポンプであるが、ＬＮＧの気化をさせるものではないし、ＬＮＧの気化に用いられることを示唆するものではない。
【０００９】
そこで、本発明は、ＬＮＧの如き低温液体をガス化させるときに用いる媒体を捨てることなく回収して低温熱源の有効利用を図ることができるようにすると共に、該媒体の加熱にも海水を用いることなく低温熱の利用が図れるようにしようとするものである。
【課題を解決するための手段】
【００１０】
本発明は、上記課題を解決するために、低温液体を需要先へ導くラインの途中に、該低温液体を昇温気化させる低温液体ヒータを設け、該低温液体ヒータの熱源として用いる中間媒体を、該低温液体ヒータで低温液体との熱交換で冷却すると蒸発部で蒸発させて循環させるようにし、且つ上記蒸発部で中間媒体との熱交換に用いた熱媒体を他の機器の冷却用とするようにした構成とする。
【００１１】
又、低温液体を需要先へ導くラインの途中に、該低温液体を昇温気化させる１つ又は複数の低温液体ヒータと、低温液体の気化ガスを使用温度に昇温させる気化ガスヒータとを上流側より順に設け、上記上流側の低温液体ヒータの熱源として用いる中間媒体を、該低温液体ヒータで低温液体との熱交換で冷却すると蒸発部で蒸発させて循環させるようにし、且つ上記蒸発部で中間媒体との熱交換に用いた熱媒体を他の機器の冷却用とするようにし、更に、上記下流側の気化ガスヒータの熱源として用いる熱媒体を気化ガスとの熱交換後に他の機器の冷却用とするようにした構成とする。
【００１２】
更に、請求項１又は２に係る発明において、発電機を同軸に備えた膨張タービンのタービン入口とタービン出口とを、低温液体を中間媒体で昇温気化させる低温液体ヒータと、該低温液体ヒータで冷却された中間媒体を昇圧する冷媒ポンプと、昇圧された中間媒体を蒸発させる蒸発部とを備えた閉ループで接続した構成とする。
【００１３】
更に、請求項１、２又は３に係る発明において、熱交換の熱媒体を発電所のコンデンサの間接冷却に用いるようにした構成とする。
【発明の効果】
【００１４】
本発明の低温液体のガス化設備によれば、以下の如き優れた効果を発揮する。
（１）低温液体を需要先へ導くラインの途中に、該低温液体を昇温気化させる低温液体ヒータを設け、該低温液体ヒータの熱源として用いる中間媒体を、該低温液体ヒータで低温液体との熱交換で冷却すると蒸発部で蒸発させて循環させるようにし、且つ上記蒸発部で中間媒体との熱交換に用いた熱媒体を他の機器の冷却用とするようにした構成としてあるので、循環使用される中間媒体で低温液体の冷熱を回収して、該低温液体を昇温しガス化することができると共に、低温液体の冷熱を回収した中間媒体から放出する冷熱で熱媒体を冷却し、該熱媒体を他の機器の冷却に用いることができることから、低温液体の昇温気化や中間媒体の熱放出に海水を使用することがないことに伴い環境負荷の低減化が図れ、又、冷熱の有効利用を図ることができる。
（２）又、低温液体を需要先へ導くラインの途中に、該低温液体を昇温気化させる１つ又は複数の低温液体ヒータと、低温液体の気化ガスを使用温度に昇温させる気化ガスヒータとを上流側より順に設け、上記上流側の低温液体ヒータの熱源として用いる中間媒体を、該低温液体ヒータで低温液体との熱交換で冷却すると蒸発部で蒸発させて循環させるようにし、且つ上記蒸発部で中間媒体との熱交換に用いた熱媒体を他の機器の冷却用とするようにし、更に、上記下流側の気化ガスヒータの熱源として用いる熱媒体を気化ガスとの熱交換後に他の機器の冷却用とするようにした構成としてあるので、低温液体をガス化して使用温度として需要先へ供給させることができ、更に、上記（１）と同様に低温液体の冷熱で冷却された中間媒体により冷却される熱媒体と、低温液体の気化ガスにより冷却される熱媒体を、他の機器の冷却に用いることから、（１）と同様の効果が得られるほかに、低温液体の気化ガスの昇温にも海水を用いることがないことから、環境負荷を低減させることができる。
（３）請求項１又は２に係る発明において、発電機を同軸に備えた膨張タービンのタービン入口とタービン出口とを、低温液体を中間媒体で昇温気化させる低温液体ヒータと、該低温液体ヒータで冷却された中間媒体を昇圧する冷媒ポンプと、昇圧された中間媒体を蒸発させる蒸発部とを備えた閉ループで接続した構成とすることにより、上記（１）（２）により得られる効果のほかに、ヒートポンプを用いて発電を行うことができる。
（４）請求項１、２又は３に係る発明において、中間媒体との熱交換で冷却された熱媒体や、低温液体の気化ガスとの熱交換で冷却された熱媒体を、発電所のコンデンサの間接冷却用とすることにより、低温熱の有効利用が図れると共に、コンデンサを海水で冷却する場合に比して該コンデンサ温度を低下させることができて発電効率を向上させることができる。
【発明を実施するための最良の形態】
【００１５】
以下、本発明を実施するための最良の形態を図面を参照して説明する。
【００１６】
図１は本発明の低温液体のガス化設備の実施の一形態を示すものであり、説明の便宜上、低温液体としてＬＮＧを例として説明する。
【００１７】
低温タンク１に貯蔵されているＬＮＧ２を、火力発電所等の需要先へ供給するために、上記低温タンク１からＬＮＧを取り出すＬＮＧ取出ライン３を、ＬＮＧ２を段階的に昇温して気化させるために備えた第１ＬＮＧヒータ４と、第２ＬＮＧヒータ５と、第３ＬＮＧヒータ６に順に導くように接続させる。上記第１ＬＮＧヒータ４には、ＬＮＧ２の−１６０℃という極低温でも凍結することがない冷媒、たとえば、クーラー等で用いられているＲ−２２を中間媒体７としてＬＮＧ２を昇温させた後に冷熱を放出させるヒートポンプを備えた第１冷熱発電装置Ｉの閉ループ８を接続し、上記第２ＬＮＧヒータ５には、約−５０℃の低温でも凍結することがないような冷媒、たとえば、アンモニアを中間媒体９としてＬＮＧ２を昇温させた後に冷熱を放出させるヒートポンプを用いた第２冷熱発電装置IIの閉ループ１０を接続し、更に、第３ＬＮＧヒータ６には、たとえば、−４０℃でも凍結しないような熱媒体１１を導くようにして、ＬＮＧ気化ガス２ａを常温まで昇温させるようにする。
【００１８】
詳述すると、上記第１冷熱発電装置Ｉは、発電機１２を同軸に備えた第１膨張タービン１３のタービン出口１４とタービン入口１５とを接続する閉ループ８に、上記第１ＬＮＧヒータ４を熱回収部として組み込み、該熱回収部としての第１ＬＮＧヒータ４に導いたＲ−２２の如き中間媒体７でＬＮＧ２を昇温させると共にＬＮＧ２の冷熱を回収させるようにした後、低温になった中間媒体７を冷媒ポンプ１６で昇圧させて熱放出部となる蒸発器（蒸発部）１７へ導き、上記熱回収部で回収した冷熱を蒸発器１７で放出させるようにしてあるヒートポンプを備え、該ヒートポンプの熱放出部となる蒸発器１７にて、−４０℃でも凍結することのない熱媒体１１として、たとえば、メタノール５０％のブラインと中間媒体７とを熱交換させて、中間媒体７の冷熱を放出させるようにする。これにより気化された中間媒体７は、タービン入口１５より第１膨張タービン１３へ導入して該第１膨張タービン１３を駆動させ、発電機１２を駆動させて発電させるようにし、一方、蒸発器１７で冷却された熱媒体１１を発電所のコンデンサの間接冷却に用いるようにした構成とする。
【００１９】
又、第２冷熱発電装置IIは、上記第１冷熱発電装置Ｉと同様な構成を有するもので、発電機１２を同軸に備えた第２膨張タービン１８のタービン出口１９とタービン入口２０とを接続する閉ループ１０に、前記第２ＬＮＧヒータ５を熱回収部として組み込み、上記第２ＬＮＧヒータ５で昇温されたＬＮＧ２を、第２ＬＮＧヒータ５にてアンモニアの如き中間媒体９との熱交換により更に昇温させるようにして冷熱回収させるようにし、該冷熱回収により冷却された低温中間媒体９を冷媒ポンプ２１で昇圧させてから熱放出部となる蒸発器（蒸発部）２２で冷熱を放出させるようにしてあるヒートポンプを備え、該ヒートポンプの熱放出部となる蒸発器２２にて、−４０℃でも凍結することのない熱媒体１１として、たとえば、メタノール５０％のブラインと中間媒体９とを熱交換させて、中間媒体９の冷熱を放出させるようにする。これにより気化された中間媒体９は、タービン入口２０より第２膨張タービン１８へ導入して該第２膨張タービン１８を駆動させ、発電機１２を駆動させて発電させるようにし、一方、蒸発器２２で冷却されたメタノール５０％のブラインからなる熱媒体１１は、発電所のコンデンサの間接冷却に用いるようにして冷熱利用を図るようにした構成とする。
【００２０】
更に、第３ＬＮＧヒータ６は加温器として用い、該第３ＬＮＧヒータ６に、熱媒体１１として、−４０℃でも凍結することのない、たとえば、上述したものと同様のメタノール５０％のブラインを導くようにし、該第３ＬＮＧヒータ６にてＬＮＧ気化ガス２ａと熱媒体１１と熱交換させることによって、気化ガス２ａは常温まで昇温させるようにすると共に、冷却された熱媒体１１は発電所のコンデンサの間接冷却用として利用するようにする。
【００２１】
上記構成としてあるので、ＬＮＧ２を低温タンク１よりＬＮＧ取出ライン３より取り出して気化させて需要先である火力発電所等へ供給するようにする場合は、一例として示した第１ＬＮＧヒータ４、第２ＬＮＧヒータ５、第３ＬＮＧヒータ６の３つのヒータで順に昇温させて行き、最終的に常温の気化ガス２ａとするようにする。
【００２２】
この場合、先ず、第１ＬＮＧヒータ４では、第１冷熱発電装置Ｉの第１膨張タービン１３のタービン出口１４から膨張されて排出される減圧された中間媒体（−１６０℃でも凍結することがないＲ−２２の如き冷媒）７が導かれ、ここで、−１６０℃のＬＮＧ２との間で熱交換を行わせ、ＬＮＧ２は−１６０℃から−５０℃程度に昇温させるようにする。一方、ＬＮＧ２の冷熱で冷却されて液体となった中間媒体７は、冷媒ポンプ１６で昇圧されて下流側へ送られる。
【００２３】
この昇圧された低温中間媒体７の冷熱を、他に有効利用するため、たとえば、発電所側にあるコンデンサの冷却に使用することが考えられるが、そのままコンデンサの冷却に用いると凍結してしまうので、温度を高いレベルまで上げてやる必要がある。そのためには、本発明では、上記液化された中間媒体７を、熱放出部である蒸発器１７へ導き、該蒸発器１７で熱媒体１１としてのメタノール５０％のブラインと熱交換して中間媒体７を温めてやり、温められて気化された中間媒体７は、第１膨張タービン１３へ送って、該タービン１３を介して発電機１２を駆動し発電させることにより、冷熱を利用した発電を行わせるようにする。又、上記の熱交換で冷却された熱媒体１１としてのメタノール５０％のブラインを、発電所のコンデンサへ供給し、蒸気タービンを駆動した後の蒸気を冷却して復水させるようにするための冷却媒体として使用し、該コンデンサを間接冷却させるようにする。これにより、これまで発電所のコンデンサの冷却用として海水を使用し、温められた海水を海へ捨てている量を大幅に減少させることができると共に、コンデンサを海水よりも低温の熱媒体１１で間接冷却できることから、コンデンサ温度の低下による発電効率の向上を図ることができる。
【００２４】
次に、第１ＬＮＧヒータ４により−１６０℃から約−５０℃まで昇温されたＬＮＧ２は、第２ＬＮＧヒータ５に移送される。ここでも、第２冷熱発電装置IIにおける閉ループ１０内をアンモニアによる中間媒体９が循環しており、第２膨張タービン１８のタービン出口１９から送られてくる減圧された中間媒体９が、該第２ＬＮＧヒータ５を通過することにより、中間媒体９は約−５０℃のＬＮＧ２との熱交換によって液化し、一方、ＬＮＧ２は中間媒体９からの熱交換により昇温され気化されることになる。
【００２５】
上記ＬＮＧ２の冷熱で冷却された中間媒体９は、上述した第１冷熱発電装置Ｉの場合と同様に冷媒ポンプ２１で昇圧されて蒸発器２２へ導かれ、ここで熱媒体１１との熱交換により昇温気化される。気化した中間媒体９は、第２膨張タービン１８へ供給され、該タービン１８を介して発電機１２を駆動して発電させることにより、冷熱を利用した発電を行わせるようにする。又、上記熱交換により冷却された熱媒体１１を発電所側のコンデンサに供給して、冷熱をコンデンサの間接冷却に利用するようにする。
【００２６】
更に、上記第２ＬＮＧヒータ５によって約−３５℃に昇温されたＬＮＧの気化ガス２ａは、第３ＬＮＧヒータ６に移送される。ここでは、気化ガス２ａは、ＬＮＧ２の昇温の最終工程として、上記第１と第２の各冷熱発電装置Ｉ，IIの蒸発器１７と２２で用いられた熱媒体１１と同じ熱媒体１１であるメタノール５０％のブラインと熱交換させることによって更に常温域の約１５℃まで昇温させられる。これにより、第３ＬＮＧヒータ６を通過した気化ガス２ａは、直接燃料としてＬＮＧ火力発電所等の需要先へ供給されることになる。
【００２７】
一方、第３ＬＮＧヒータ６で気化ガス２ａとの熱交換により放出される冷熱で冷却された熱媒体１１は、そのまま利用することができ、本発明では、前記した２つの冷熱発電装置Ｉ，IIの各蒸発器１７，２２から取り出される熱媒体１１と同様に発電所のコンデンサの冷却用とすることにより、冷熱利用を図ることができる。
【００２８】
本発明においては、低温タンク１内のＬＮＧ２を、たとえば、１００ｔｏｎ／ｈ、気化させるときの圧力を５ＭＰａとした場合では、第１冷熱発電装置Ｉの発電機１２において約３０００ｋｗ、第２冷熱発電装置IIの発電機１２において約３００ｋｗの電力を供給でき、第１冷熱発電装置Ｉの蒸発器１７で約６５ＧＪ／ｈ、第２冷熱発電装置IIの蒸発器２２で約８ＧＪ／ｈ、第３ＬＮＧヒータ６で約１５ＧＪ／ｈの熱量を変換することができる。
【００２９】
このように、本発明の低温液体のガス化設備においては、−１６０℃の極低温の状態のＬＮＧ２を、実用域である１５℃の気化ガスとするまでに段階的に昇温させるようにし、最終的な昇温を除く前段の昇温は、ＬＮＧ２を気化するための熱源をすべて循環するようにして、発電を行わせることができると共に、熱源として海水を用いることがないようにしてあることから、排水による環境の負荷を低減することができる。又、上記ＬＮＧの昇温で冷却された中間媒体７，９を昇温気化させる熱媒体１１や最終段のＬＮＧ昇温に用いる熱媒体１１にも、海水を用いることなく−４０℃でも凍結しないものを用いるようにし、且つ捨てることなく、発電所側のコンデンサの間接冷却に利用するようにして冷熱回収するようにしてあることから、ＬＮＧの有する冷熱の有効利用を図ることができる上に、更に、これまで、火力発電装置におけるコンデンサの間接冷却に海水を用いて温められた海水を海へ戻す量を減らすことができるようになることから、更なる環境負荷の低減を図ることができる。又、これに伴い上述した如く、該コンデンサの温度を、海水を用いた場合よりも更に低温とすることができることから、火力発電装置における発電効率の向上を図ることができることになる。
【００３０】
なお、本発明は上記実施の形態のみに限定されるものではなく、ＬＮＧ２の冷熱を有効利用できる範囲であれば冷熱発電装置は１つであってもよく、あるいは２つ以上設置してもよいこと、冷熱発電装置Ｉ，IIにおける中間媒体７，９として、運転停止時に凍結しないものであれば、Ｒ−２２、アンモニア以外の媒体を用いてもよいこと、蒸発器１７，２２及び第３ＬＮＧヒータ６で用いられる熱媒体１１としては、−４０℃程度の中間媒体７，９との熱交換及び気化ガス２ａとの熱交換によって凍結せず、且つＬＮＧを昇温できるものとして適正なものであれば、例示したメタノール５０％のブラインに限らず、例えばメタノール１００％としたもの、あるいは、エチレングリコール、その他のものを用いてもよいこと、更に、本発明の低温液体のガス化設備は、低温液体としてＬＮＧの場合について説明したが、ＬＮＧ以外に、液体水素、液体窒素、液体酸素等を気化させて供給するようにしてある設備の冷熱を回収して利用する場合にも適用できること、その他本発明の要旨を逸脱しない範囲内において種々変更を加え得ることは勿論である。
【図面の簡単な説明】
【００３１】
【図１】本発明の低温液体のガス化設備の実施の一形態を示す概要図である。
【図２】従来の中間媒体利用のランキンシステムの系統図である。
【符号の説明】
【００３２】
１  低温タンク
２  ＬＮＧ（低温液体）
２ａ  気化ガス
３  ＬＮＧ取出ライン
４  第１ＬＮＧヒータ
５  第２ＬＮＧヒータ
６  第３ＬＮＧヒータ（気化ガスヒータ）
７  中間媒体
８  閉ループ
９  中間媒体
１０  閉ループ
１１  熱媒体
１２  発電機
１３  第１膨張タービン
１７  蒸発器（蒸発部）
１８  第２膨張タービン
２２  蒸発器（蒸発部）
【図１】
2006022872.tif 000003
【図２】
2006022872.tif 000004